(57)【要約】【課題】１個の収納棚において、同じ棚板を収納空間において水平方向にも垂直方向にも配置できるようにし、書類等の整理を容易にする。【解決手段】左右方向に所定の間隔を有して垂直方向に配置した縦板４、５、８間に棚板３０を取外し可能に水平方向に配置する構成と、前記縦板４、５、８間において上下方向に前記所定の間隔と同じ間隔を有して水平方向に配置した横板７、９、２４間に前記の棚板３０を取外し可能に垂直方向に配置する構成を有することを特徴とする収納棚。【選択図】図４
2008054803.tif 000002
【特許請求の範囲】
【請求項１】
正面から見て正方形の収納空間内において、同じ棚板を、水平方向にも垂直方向にも配置できるようにしたことを特徴とする収納棚。
【請求項２】
左右方向に所定の間隔を有して垂直方向に配置した縦板間に棚板を取外し可能に水平方向に配置する構成と、前記縦板間において上下方向に前記所定の間隔と同じ間隔を有して水平方向に配置した横板間に前記の棚板を取外し可能に垂直方向に配置する構成を有することを特徴とする収納棚。
【請求項３】
前記横板を縦板間に取外し可能に設けたことを特徴とする請求項２記載の収納棚。
【請求項４】
前記棚板を取外し可能に取付ける棚受け手段を、棚板を前後方向に摺動することにより取付け及び取外しができるように形成したことを特徴とする請求項２又は３記載の収納棚。
【請求項５】
前記棚受け手段を、前記両縦板の内面と前記両横板の内面に取外し可能に突設する棚受け具と、前記棚板の側端面に、前後方向に形成され、かつ、後端が開口し、更に、前記棚受け具が摺動可能に嵌合される嵌合溝とで形成したことを特徴とする請求項４記載の収納棚。
【請求項６】
前記棚受け具を、両端に差し込み部を折曲形成した金属棒で形成し、該棚受け具における両端の差し込み部を前記両縦板と両横板に形成した取付穴に取外し可能に差し込んで該棚受け具を水平方向に配置するようにしたことを特徴とする請求項５記載の収納棚。
【請求項７】
前記請求項１乃至６のいずれか１項に記載の収納棚と、該収納棚とは別体の収納棚を用い、これら両収納棚を、上下に積み重ねて配置したり、横方向に隣接して配置することを特徴とする収納棚。
【請求項８】
前記両収納棚の夫々の縦板からなる両側板の上部に、夫々の天板より上方へ突出する突出部を設け、一方の収納棚を、その天地を逆にしてその前記突出部が他方の収納棚の突出部上に重なるように他方の収納棚に載置し、前記積み重ねた両突出部を相互に連結することを特徴とする請求項７記載の収納棚。
【発明の詳細な説明】
【技術分野】
【０００１】
本発明は、書棚等の収納棚に関する。
【背景技術】
【０００２】
従来、書棚等の収納棚において、その水平方向（横方向）に配置された棚板と、垂直方向（縦方向）に配置された仕切板を夫々固定した収納棚や、水平方向に配置される棚板を、上下方向に変位できるようにした収納棚が知られている。
【発明の開示】
【発明が解決しようとする課題】
【０００３】
前記従来の前者の収納棚においては、その棚板及び仕切板が固定され、その収納空間の大きさや形状が固定されていることから、この収納空間を収納物に合わせて変更することができない。
【０００４】
また、前記従来の後者の収納棚においては、棚板間の上下方向の空間寸法を大小に変更することはできるが、この棚板間での仕切板については、一般に考慮されていない。
【０００５】
そこで、本発明は、同じ棚板を使用して、これを水平方向に配置して棚板として使用したり、垂直方向に配置して仕切板としても使用できるようにし、収納物に合わせて収納空間を容易に変形できる収納棚を提供することを目的とするものである。
【課題を解決するための手段】
【０００６】
前記の課題を解決するために、請求項１記載の発明は、正面から見て正方形の収納空間内において、同じ棚板を、水平方向にも垂直方向にも配置できるようにしたことを特徴とするものである。
【０００７】
請求項２記載の発明は、左右方向に所定の間隔を有して垂直方向に配置した縦板間に棚板を取外し可能に水平方向に配置する構成と、前記縦板間において上下方向に前記所定の間隔と同じ間隔を有して水平方向に配置した横板間に前記の棚板を取外し可能に垂直方向に配置する構成を有することを特徴とするものである。
【０００８】
請求項３記載の発明は、請求項２記載の発明において、前記横板を縦板間に取外し可能に設けたことを特徴とするものである。
【０００９】
請求項４記載の発明は、請求項２又は３記載の発明において、前記棚板を取外し可能に取付ける棚受け手段を、棚板を前後方向に摺動することにより取付け及び取外しができるように形成したことを特徴とするものである。
【００１０】
請求項５記載の発明は、請求項４記載の発明において、前記棚受け手段を、前記両縦板の内面と前記両横板の内面に取外し可能に突設する棚受け具と、前記棚板の側端面に、前後方向に形成され、かつ、後端が開口し、更に、前記棚受け具が摺動可能に嵌合される嵌合溝とで形成したことを特徴とするものである。
【００１１】
請求項６記載の発明は、請求項５記載の発明において、前記棚受け具を、両端に差し込み部を折曲形成した金属棒で形成し、該棚受け具における両端の差し込み部を前記両縦板と両横板に形成した取付穴に取外し可能に差し込んで該棚受け具を水平方向に配置するようにしたことを特徴とするものである。
【００１２】
請求項７記載の発明は、前記請求項１乃至６のいずれか１項に記載の収納棚と、該収納棚とは別体の収納棚を用い、これら両収納棚を、上下に積み重ねて配置したり、横方向に隣接して配置することを特徴とするものである。
【００１３】
請求項８記載の発明は、請求項７記載の発明において、前記両収納棚の夫々の縦板からなる両側板の上部に、夫々の天板より上方へ突出する突出部を設け、一方の収納棚を、その天地を逆にしてその前記突出部が他方の収納棚の突出部上に重なるように他方の収納棚に載置し、前記積み重ねた両突出部を相互に連結することを特徴とするものである。
【発明の効果】
【００１４】
本発明によれば、同じ棚板を収納空間内において、水平方向にも垂直方向にも配置できるため、棚板を水平方向に配置してその上に書類などを載置したり、その棚板を垂直方向に配置変えして仕切板とし、書籍やファイルなどを縦置きすることができる。そのため、１個の収納棚において、同じ種類の棚板を用いて所望の収納空間を形成し書類等の整理を容易にすることができる。
【００１５】
また、請求項３記載の発明のように、横板を取り外し可能に設けることにより、横向きの棚板のない上下に広い収納空間を形成することもできる。
【００１６】
請求項４乃至６に記載の発明によれば、棚板の取付け及び取外し操作が容易になる。
【００１７】
請求項７及び８記載の発明によれば、前記の発明の効果を有し、更に、学童の低学年の際には、手の届く範囲で整理がし易いように２個の収納棚を横並びに配置し、高学年になった際には２個の収納棚を積み重ねて、床に対する設置スペースを少なくして、部屋の床に配置する物が増加することに対応することができる。
【発明を実施するための最良の形態】
【００１８】
本発明を実施するための最良の形態を図に示す実施例により説明する。
図に示す実施例は、別体に形成された２個の収納棚２、３を一組として組み合わせた組み合わせ収納棚１に適用した例を示す。なお、本発明において、横方向とは水平方向を意味し、縦方向とは垂直方向を意味するものとする。
【００１９】
図１は２個の収納棚２、３を横に並べて配置した状態の斜視図、図２はその正面図、図３は底面図である。
【００２０】
先ず、一方の収納棚２について図４乃至図１１により説明する。
一方の収納棚２を形成する垂直方向（縦方向）に配置された両側板（縦板）４、５間には、天板（横板）６と地板（横板）７が水平方向（横方向）に架設固定されている。更に両側板４、５間の中央部には縦仕切板（縦板）８が、前記天板６と地板７に固着されて垂直方向に配置されている。なお、図４において、Ｘ１−Ｘ２方向を前後方向とし、Ｙ１−Ｙ２方向を左右方向とし、Ｘ１側からＸ２側を見た方向を正面（前面）から見た方向とする。
【００２１】
前記一方の収納棚２における両側板４、５の高さＬ１は所望に設定されており、図の実施例では８２０ｍｍに設定されている。また、該収納棚２の横幅Ｌ２は所望に設定され、図の実施例では７５０ｍｍに設定されている。更に、該収納棚２の奥行きＬ３は所望に設定され、図の実施例では３２０ｍｍに設定されている。
【００２２】
前記天板６は、両側板４、５の上端から所定寸法Ｌ４下がった位置に配置され、両側板４、５の上部において、天板６から上方へ突出する突出部４ａ、５ａを有し、天板６上にＬ４の寸法の空間９を有する。
【００２３】
前記一方の突出部４ａには、その表裏方向に貫通する２個の連結穴１１、１２が前後に位置して形成され、他方の突出部５ａには、その表裏方向に貫通する２個の連結穴１３、１４が前後に位置して形成されている。前記連結穴１１と１２の前後方向の位置と間隔及び連結穴１３と１４の前後方向の位置と間隔はともに同一位置で、かつ、同一間隔Ｌ５に設定されている。
【００２４】
前記両側板４、５の内面には、図４、図７、図１０、図１８に示すように、両側板４、５の前側と後側に位置して取付穴１５、１６が所定の間隔Ｌ６を有して形成されている。また、この前後の取付穴１５、１６は、各々上下方向に所定の間隔Ｌ７（約３２ｍｍ）を有して複数形成されている。更に、この取付穴１５、１６は、図４、図７、図１８に示すように、前記天板６と地板７間の略全長に亘って設けられている。
【００２５】
また、前記縦仕切板８の両面にも、前側と後側に位置して取付穴１７、１８が形成されている。なお、取付穴１７、１８は、前記取付穴１５、１６と対向して、同数、同位置に設けられており、その前後の取付け穴１７、１８間の間隔は前記取付穴１５、１６の間隔Ｌ６と同一に設定されている。
【００２６】
前記地板７の表面には、図４及び図６に示すように、前後に位置して取付穴１９、２０が形成されている。この両取付穴１９、２０の前後方向の間隔Ｌ８は、前記両側板４、５の取付穴１５、１６の前後方向の間隔Ｌ６と同一に設定されている。更に、該取付穴１９、２０は、前記縦仕切板８の右側部と左側部において各々左右に所定の間隔Ｌ９を有して２個設けられている。
【００２７】
前記天板６の裏面にも取付穴１９、２０（図２０参照）が、前記地板７の取付穴１９、２０と対向して、同数、同位置に設けられている。
【００２８】
前記両側板４、５と縦仕切板８との間には、図８に示すような、片面に取付穴２２、２３を形成した穴明き棚板（横板）２４が、水平方向（横方向）に配置され、この穴明き棚板２４の両側端が両側板４、５と縦仕切板８に対し、前記取付穴１５、１６、１７、１８を用いて後述する棚受け手段により取外し可能に支持されている。なお、図４の右側に配置された穴明き棚板２４は、その取付穴２２、２３を形成した面を上にして配置され、左側に配置された穴明き棚板２４は、その取付穴２２、２３を下にして配置されている。
【００２９】
前記の穴明き棚板２４の横幅Ｌ１０は３４５ｍｍで、前記側板４、５と縦仕切板８との内のり寸法と略同一に設定され、奥行きＬ１１は図１８に示すように、前記間隔Ｌ６より若干長く設定されている。なお、該穴明き棚板２４の前面は直線状に形成されている。
【００３０】
更に、該穴明き棚板２４に形成した前記取付穴２２、２３は、該穴明き棚板２４を配置した際に、前記地板７及び天板６に形成した取付穴１９、２０と対向するように、取付穴１９、２０と同数、同位置に形成されており、図８に示すように、その前後方向の間隔Ｌ１２は前記間隔Ｌ８と同一に設定され、左右方向の間隔Ｌ１３は前記間隔Ｌ９と同一に設定されている。
【００３１】
前記穴明き棚板２４は、図１乃至図１１に示す形態では、天板６と地板７の中間に位置して水平方向（横方向）に２枚配置され、該両穴明き棚板２４、２４と両側板４、５と天板６と地板７と縦仕切板８とで、正面から見て正方形の第１収納空間２５と、第２収納空間２６と、第３収納空間２７と、第４収納空間２８を形成している。すなわち、各収納空間２５〜２８の各縦寸法と横寸法は、前記穴明き棚板２４の横幅Ｌ１０の寸法と略同一に設定されている。また、各収納空間２５〜２８の正面（前面）は開口されている。
【００３２】
そして、前記第１収納空間２５と第４収納空間２８には、図９に示す棚板３０が、水平方向に配置され、この棚板３０の両側端が両側板４、５と縦仕切板８に対し、前記取付穴１５，１６、１７、１８を用いて後述する棚受け手段により取外し可能に支持されている。
【００３３】
前記第２収納空間２６には、前記の棚板３０が垂直方向（縦方向）に配置され、この棚板３０の両側端が地板７の前記取付穴１９、２０と前記穴明き棚板２４の取付穴２２、２３を用いて後述する棚受け手段により取外し可能に支持されている。
【００３４】
前記第３収納空間２７には、前記棚板３０が垂直方向（縦方向）に配置され、この棚板３０の両側端は天板６と前記穴明き棚板２４に対し、前記取付穴１９、２０、２２、２３を用いて後述する棚受け手段により取外し可能に支持されている。
【００３５】
この棚板３０は、図９に示すように、その横幅Ｌ１４が前記穴明き棚板２４の横幅Ｌ１０と同一に設定され、棚板３０の奥行きＬ１５が穴明き棚板２４の奥行きＬ１１と同一に設定されている。なお、該棚板３０の前面は図９に示すように凹曲面に形成されている。
【００３６】
以上の構成により、棚板３０は、収納空間２５〜２８内において、取付穴１５、１６の上下方向の間隔Ｌ７で上下方向に変位させて水平方向に配置できるようになっている。
【００３７】
次に、棚受け手段について説明する。
先ず、棚受け手段を構成する棚受け具４０について図７、図１０、図１１により説明する。
【００３８】
該棚受け具４０は、可撓性を有する金属棒で形成されており、略直線状に形成された受部４０ａと、該受部４０ａの両側部を外側へ湾曲させた当接部４０ｂと、該当接部４０ｂの側端部を外側へ折曲した差し込み部４０ｃとからなり、全体としてコの字状に形成されている。また、その両差し込み部４０ｃ、４０ｃの間の間隔Ｌ１８は前記取付穴１５と１６、１７と１８、１９と２０、２２、２３の前後方向の間隔Ｌ６、Ｌ８、Ｌ１２と同一間隔に設定されている。
【００３９】
そして、該棚受け具４０の両端の差し込み部４０ｃ、４０ｃを前記の取付穴、例えば、図７に示す側板５における取付穴１５、１６のうち棚板３０を取りつけようとする位置（高さ）にある前後の取付穴１５、１６に差し込むことにより、その棚受け具４０を所望の位置（高さ）において、前後方向に、かつ水平状態に取付けできるようになっている。このように取付けることにより、その当接部４０ｂが側板５や縦仕切板８等の内面に当たり、受部４０ａが側板５等の内面より内側へ突出して配置されるようになっている。
【００４０】
また、前記棚板３０の両側端面には、図９に示すように、前記の棚受け具４０が嵌合する嵌合溝３２が前後方向に形成され、かつ、その後端が開口されている。該嵌合溝３２の前端は図１０に示すように開口されず、かつ、ストッパ３３が設けられている。更に、該嵌合溝３２は、図１１に示すように、棚受け具４０が略一杯に嵌合し、かつ、摺動可能に嵌合する幅に設定されている。
【００４１】
以上の構成により、例えば、側板５の取付穴１５、１６と縦仕切板８の取付穴１７、１８における棚板３０を取りつけようとする高さの位置にある取付穴１５、１６及び１７、１８に棚受け具４０、４０を対向して取付け、棚板３０を、その嵌合溝３２の後端開口部を棚受け具４０、４０の前端部に位置させて差し込むことにより、棚板３０は、その両側端が両棚受け具４０、４０により支持されて取りつけられる。
【００４２】
また、棚板３０の取付け後に、その棚板３０を前方へ引き出すことにより、その棚板３０を取外すことができる。したがって、棚板３０を前後方向に摺動することにより、棚板３０の取付け及び取外しが可能になっている。
【００４３】
また、棚板３０の位置を変更する場合は、前述のように棚板３０を外すとともに、棚受け具４０、４０を外し、次に、棚受け具４０、４０を別の位置に形成された取付穴１５〜１８に前記のように差し込んで配置し、この棚受け具４０、４０に前記の棚板３０を前記と同様に嵌合して取り付ける。
【００４４】
前記の各取付穴１５〜１８、１９、２０、２２、２３、棚受け具４０、嵌合溝３２により棚受け手段が構成され、この棚受け手段は、前記の穴明き棚板２４についても同様である。すなわち、図８に示すように、穴明き棚板２４の両側端面に前記棚板３０の嵌合溝３２と同様の嵌合溝３２を形成し、該嵌合溝３２を前記棚受け具４０に嵌合して穴明き棚板２４を前記と同様に取付け及び取外しができるようになっている。
【００４５】
次に、穴明き棚板２４と棚板３０の配置例について説明する。
先ず、図１乃至図６において、天板６と地板７との中間部における右側板５の取付穴１５、１６と縦仕切板８の取付穴１７、１８に棚受け具４０、４０を取りつけ、右側の穴明き棚板２４を、その取付穴２２、２３を上にして取付ける。また、天板６と地板７との中間部における左側板４の取付穴１５、１６と縦仕切板８の取付穴１７、１８に棚受け具４０、４０を取りつけ、左側の穴明き棚板２４を、その取付穴２２、２３を下にして取付ける。
【００４６】
次に、第１収納空間２５部において、左側板４の取付穴１５、１６と縦仕切板８の取付穴１７、１８に棚受け具４０、４０を取りつけ、棚板３０を水平方向に取付ける。また、第４収納空間２８部において、右側板５の取付穴１５、１６と縦仕切板８の取付穴１７、１８に棚受け具４０、４０を取りつけ、棚板３０を水平方向に取付ける。
【００４７】
更に、第２収納空間２６部において、地板７の取付穴１９、２０と穴明き棚板２４の取付穴２２、２３に棚受け具４０、４０を取りつけ、２枚の棚板３０を垂直方向に取付ける。また、第３収納空間２７部において、天板６の取付穴１９、２０と穴明き棚板２４の取付穴２２、２３に棚受け具４０、４０を取りつけ、２枚の棚板３０を垂直方向に取付ける。
【００４８】
次に、前記の棚板３０の配置変更について説明する。
図２２に示す形態にする場合には、第１及び第３収納空間２５、２７の棚板３０とその棚受け具４０を取外し、第２収納空間２６の２枚の棚板３０と棚受け具４０を取外し、棚受け具４０を側板５と縦仕切板８の取付穴１５、１６、１７、１８に差し替え、これに１枚の棚板３０を水平方向に配置する。
【００４９】
更に、図２３に示す形態にする場合には、図２２の第１収納空間２５と第３収納空間２７において、図４の第２収納空間２６に配置したと同様に２枚の棚板３０を垂直方向に配置する。
【００５０】
更に、図２４に示すように、第１収納空間２５〜第４収納空間２８に夫々１枚の棚板３０を水平方向に配置することもできる。
【００５１】
更に、図２５に示すように、左側の穴明き棚板２４とその棚受け具４０を外し、２枚の棚板３０を水平方向に配置することもできる。
【００５２】
以上の構成により、同一形状の棚板３０を複数用意し、その内の一部の棚板３０を水平方向（横方向）に配置したり、垂直方向（縦方向）に配置して、１個の収納棚２の仕切り状態を所望に変更することができる。したがって、棚板３０を水平方向に配置してその上面に書類を載置したり、棚板３０を垂直方向に配置して、書類やファイル等を縦保持することができる。
【００５３】
なお、前記の棚受け具４０に代えて、各取付穴に抜き差し可能なピン状のダボを使用しても良い。
【００５４】
しかし、前記のような棒状の棚受け具４０を使用することにより、棚板２４、３０を棚受け具４０に嵌合設置する場合に、棚板２４、３０の嵌合溝３２、３２の後端開口部を棚受け具４０の前端部に嵌合した後、棚板２４、３０を押し込むことで、棚受け具４０が案内となってダボに比べて容易に嵌合設置することができる。
【００５５】
次に、他方の収納棚３について図１２乃至図１５により説明する。
他方の収納棚３は、両側板（縦板）５０、５１と天板（横板）５２と地板（横板）５３と縦仕切板（縦板）５４と、前記の棚板３０とからなる。
【００５６】
前記両側板５０、５１は、前記一方の収納棚２の両側板４、５と同一寸法に形成され、天板５２は前記天板６と同一寸法に形成され、地板５３は前記地板７と同一寸法に形成されている。したがって、他方の収納棚３の高さＬ４１は前記一方の収納棚２の高さＬ１と同寸法に設定され、横寸法Ｌ４２は前記横幅Ｌ２と同寸法に設定され、奥行きＬ４３は前記奥行きＬ３と同寸法に設定されている。
【００５７】
更に、天板５２は前記一方の収納棚２と同様に、両側板５０、５１の上端から前記Ｌ４と同一寸法下がった位置に設けられ、両側板５０、５１の上部において天板５２から上方へ突出する突出部５０ａ、５１ａを有し、天板５２上にＬ４の寸法の空間５５を有する。
【００５８】
前記突出部５０ａには、その表裏に貫通する連結穴５６、５７が前後に位置して形成され、突出部５１ａには、その表裏に貫通する連結穴５８、５９が前後に位置して形成されている。これら連結穴５６、５７及び５８、５９の位置と間隔Ｌ４４は前記一方の収納棚２の連結穴１１、１２及び１３、１４の位置と間隔Ｌ５と同一に設定されている。
【００５９】
前記地板５３の下部には収納部６０が形成されており、該収納部６０には、図１３に示すようなキャスタ６１付のコンテナ６２が、出し入れ可能に収納されている。
【００６０】
前記両側板５０、５１と天板５２と地板５３と縦仕切板５４により収納空間６３、６４が形成されている。また、両側板５０、５１と縦仕切板５４の左右方向の配置間隔、すなわち、収納空間６３、６４の左右方向の内のり寸法は、前記の棚板３０の横幅Ｌ１４と同等に設定されている。
【００６１】
また、前記両側板５０、５１の内面と前記縦仕切板５４の両面には、前記一方の収納棚２の取付穴１５、１６、１７、１８と同様の取付穴６５、６６が形成されている。
【００６２】
そして、前記取付穴６５、６６のうちの所望の高さの取付穴６５、６６に前記の棚受け具４０、４０を前記と同様に取りつけ、この棚受け具４０、４０に前記と同様の棚板３０を水平方向に取り付けるようになっている。
【００６３】
次に、前記２個の収納棚２、３を積み重ねて使用する場合について説明する。
この場合は、他方の収納棚３を通常の使用姿勢で床上に置き、一方の収納棚２を、前記横並び状態での通常の姿勢に対し、その天地を逆向きにして、図１６乃至図１８に示すように他方の収納棚３上に載置する。このとき、他方の収納棚３における両側板５０、５１の突出部５０ａ、５１ａ上に、一方の収納棚２における両側板４、５の突出部４ａ、５ａを載置する。これにより、他方の収納棚３の空間５５と一方の収納棚２の空間９とにより空間７０が形成される。
【００６４】
次に、図１６乃至図１８に示すように、他方の収納棚３の突出部５０ａと一方の収納棚２の突出部５ａとを、その内側で一方の連結手段を構成する連結板８０等により連結し、他方の収納棚３の突出部５１ａと一方の収納部の突出部４ａとを、その内側で他方の連結手段を構成する連結板８０等により連結する。
【００６５】
前記両連結板８０，８０は図１９及び図２１に示すように、その高さＬ８１は、両天板６、５２間の間隔Ｌ８２と略同一高さに形成され、連結板８０の長手方向の長さＬ８３は図１に示すように、側板４、５、５０、５１の奥行Ｌ３、Ｌ４３より若干短く、かつ連絡穴１１、１２、５６、５７等の間隔Ｌ５、Ｌ４４より若干長く形成されている。
【００６６】
更に、連結板８０には、その長手方向の両側部に位置して、夫々上下に２個の連結穴８１〜８４が、表裏方向に貫通して形成されている。この連結穴８１と８３及び８２と８４の間隔Ｌ８４は、前記連結穴１１、１２、５６、５７等の間隔Ｌ５、Ｌ４４と同等に設置され、上下の連結穴８１と８２及び８３と８４の間隔Ｌ８５は、図２１に示すように積み重ねられた両突出部５０ａと５ａに形成された連結穴５６と１３との間隔及び連結穴５７と１４との間隔Ｌ８５と同間隔に設定されている。
【００６７】
そして、連結板８０，８０を図１７及び図２１に示すように配置し、一方の連結板８０において連結穴５６と８２にボルト９１を挿通して袋ナット９２で締付け、また、連結穴１３と８１にボルト９３を挿通して袋ナット９４で締付ける。連結穴５７と８４及び１４と８３においても同様に連結する。また、他方の連結板８０においても前記と同様にボルト及び袋ナットにより連結する。これにより、２個の収納棚２、３の積み重ね状態を強固に保持できる。
【００６８】
なお、前記ボルト９１の頭部は、ランドセル、かばん、帽子などが掛けられるように外側に大きく突出するフック部９５を有する。
【００６９】
以上の構成であるから、学童において、就学時には、自分の手の届く範囲で片づけができるように、前記２個の収納棚２、３を図１乃至図４に示すように横にならべて使用する。このとき、前記の２枚の連結板８０は、図１乃至図４に示すように、外側の側板５と５０の上部の外面にボルト９１によって取付けておく。
【００７０】
学童が成長し、部屋に物が増えた際には、２個の収納棚２、３を図１６乃至図１８に示すように、縦に積み重ねて使用することにより、省設置スペース化を図ることができる。
【００７１】
次に、前記の使用状態と別の他の変形使用状態について説明する。
図２２は、２個の収納棚２、３の積み重ね形態であって、他方の収納棚３の棚板３０を水平状態で３段に配置し、一方の収納棚２における第２収納空間２６と第４収納空間２７に各１枚の棚板３０を水平状態に配置し、第１収納空間２５と第３収納空間２７には棚板３０を配置しない形態を示す。
【００７２】
図２３は同じく積み重ね形態であって、他方の収納棚３に棚板３０を水平状態で１段に配置し、一方の収納棚２における第２収納空間２６と第４収納空間２８に１枚の棚板３０を水平状態に配置し、第１収納空間２５と第３収納空間２７に２枚の棚板３０を垂直方向に配置した形態を示す。
【００７３】
図２４は、同じく積み重ね状態であって、他方の収納棚３の棚板３０を水平状態で２段に配置し、一方の収納棚２における各収納空間２５〜２８に夫々１枚の棚板３０を水平状態に配置した形態を示す。
【００７４】
図２５は、同じく積み重ね形態であって、他方の収納棚３の棚板３０と穴明き棚板２４を、左右において２枚、段差を有して水平状態に配置し、一方の収納棚２における左側の穴明き棚板２４を外して、左側に２枚の棚板３０を水平状態に配置し、第２収納空間２６に１枚の棚板３０を水平状態に配置し、第１収納空間２５に２枚の棚板３０を垂直方向に配置した形態を示す。
【００７５】
なお、前記の棚板２４、３０の配置形態は、前記の例に限るものではなく、更に、他の所望の形態で配置できるものである。
【００７６】
なお、前記実施例においては、穴明き棚板２４と棚板３０を、その前面が異なる形状としたが、両棚板２４、３０の前面を同一形状にし、両棚板２４、３０を同一形状にして共用してもよい。
【００７７】
また、前記実施例では、前記棚受け手段における棚受け具４０を、両端に差し込み部４０ｃを形成したコ字状に形成し、側板５等に、前記２個の差し込み部４０ｃに対応して取付穴を前後に２個設けたが、１個の棚受け具４０に差し込み部４０ｃを３個以上設け、これに対応して側板５等に、前後方向に３個以上の取付穴を形成しても良い。
【００７８】
更に、前記棚受け具４０を、前記実施例のものよりも、その前後方向に短いものに形成し、側板等の前後方向に複数に分割して配置するようにし、またこれに対応した数の取付穴を側板５等に形成して、棚板２４、３０の夫々の側端部が複数の棚受け具で取付けられるようにし、棚板の保持力を増強してもよい。
【００７９】
また、前記両収納棚の突出部４ａと５１ａ及び５ａと５０ａを相互に連結する連結手段としては、前記実施例のような連結穴１１〜１４、５６〜５９と連結具である連結板８０及びボルト９１、９３と袋ナット９２、９２を用いてもよいが、これに限ることなく、他の木ねじや木製の楔等の他の連結具を使用した他の連結手段を用いるようにしてもよい。
【００８０】
以上のようであるから、本発明の実施例においては、２個の収納棚２、３を横並びに配置したり、積み重ねて配置したり、更に、他方の収納棚３においては、棚板３０を抜き差しして所望の位置（高さ）に配置したり、また、一方の収納棚２においては、棚板３０を、抜き差しして水平方向（横方向）に配置したり垂直方向（縦方向）に配置したりすることができる。
【００８１】
以上のように、棚板の変更が可能で、かつ、２つの収納棚を横並びや積み重ねて配置できることにより、特に学童用の書棚として有効なものである。
【図面の簡単な説明】
【００８２】
【図１】本発明の実施例における一方の収納棚と、これとは別体の他方の収納棚とを横並びに配置した斜視図。
【図２】図１の正面図。
【図３】図１の底面図。
【図４】本発明の一方の収納棚を示す斜視図。
【図５】図４の正面図。
【図６】図５におけるＡ−Ａ線断面図。
【図７】本発明における棚受け手段の実施例を示す斜視図。
【図８】穴明き棚板の斜視図。
【図９】棚板の斜視図。
【図１０】棚板の取付状態を示す平面図。
【図１１】図１０におけるＢ−Ｂ線断面図。
【図１２】他方の収納棚を示す斜視図。
【図１３】他方の収納棚に用いるコンテナの斜視図。
【図１４】コンテナを収納した他方の収納棚の斜視図。
【図１５】図１４の正面図。
【図１６】他方の収納棚に一方の収納棚を積み重ねた斜視図。
【図１７】図１６の正面図。
【図１８】図１７におけるＣ−Ｃ線断面図。
【図１９】連結板の斜視図。
【図２０】図１７におけるＤ−Ｄ線断面図で、棚受け具は取り外されている。
【図２１】図２０におけるＥ−Ｅ線拡大断面図。
【図２２】収納棚を積み重ねるとともに棚板の配置を変更した他の使用形態を示す斜視図。
【図２３】収納棚を積み重ねるとともに棚板の配置を変更した更に他の使用形態を示す斜視図。
【図２４】収納棚を積み重ねるとともに棚板の配置を変更した更に他の使用形態を示す斜視図。
【図２５】収納棚を積み重ねるとともに棚板の配置を変更した更に他の使用形態を示す斜視図。
【符号の説明】
【００８３】
２、３  収納棚
４、５  側板（縦板）
４ａ、５ａ、５０ａ、５１ａ  突出部
６      天板（横板）
７      地板（横板）
８      縦仕切板（縦板）
１５〜２０、２２、２３  取付穴
２４    穴明き棚板
２５〜２８  収納空間
３０    棚板
３２    嵌合溝
４０    棚受け具
４０ｃ  差し込み部
【図１】
2008054803.tif 000003
【図２】
2008054803.tif 000004
【図３】
2008054803.tif 000005
【図４】
2008054803.tif 000006
【図５】
2008054803.tif 000007
【図６】
2008054803.tif 000008
【図７】
2008054803.tif 000009
【図８】
2008054803.tif 000010
【図９】
2008054803.tif 000011
【図１０】
2008054803.tif 000012
【図１１】
2008054803.tif 000013
【図１２】
2008054803.tif 000014
【図１３】
2008054803.tif 000015
【図１４】
2008054803.tif 000016
【図１５】
2008054803.tif 000017
【図１６】
2008054803.tif 000018
【図１７】
2008054803.tif 000019
【図１８】
2008054803.tif 000020
【図１９】
2008054803.tif 000021
【図２０】
2008054803.tif 000022
【図２１】
2008054803.tif 000023
【図２２】
2008054803.tif 000024
【図２３】
2008054803.tif 000025
【図２４】
2008054803.tif 000026
【図２５】
2008054803.tif 000027